【手続補正書】
【提出日】平成17年2月2日(2005.2.2)
【手続補正１】
【補正対象書類名】明細書
【補正対象項目名】発明の名称
【補正方法】変更
【補正の内容】
【発明の名称】無線タグ、商品、商品付随物、商品セット、印刷機、及び情報加工方法
【手続補正２】
【補正対象書類名】明細書
【補正対象項目名】特許請求の範囲
【補正方法】変更
【補正の内容】
【特許請求の範囲】
【請求項１】
加工される情報であり、商品を識別するための情報を記憶するＩＣを有する
ことを特徴とする無線タグ。
【請求項２】
加工される情報であり、商品を識別するための情報を記憶するＩＣを有する無線タグを付加するとともに、前記加工される情報を所定の加工条件により加工した加工情報を表示する
ことを特徴とする商品。
【請求項３】
加工される第一の情報であり、商品を識別するための情報を記憶するＩＣを有する無線タグを付加するとともに、加工される第二の情報と、前記加工される第一の情報及び前記加工される第二の情報を用いて所定の加工条件により加工した加工情報とを表示する
ことを特徴とする商品。
【請求項４】
加工される第一の情報であり、商品を識別するための情報を記憶するＩＣを有する無線タグと、加工される第二の情報を記憶する、前記無線タグとは別の第二の無線タグとを付加するとともに、前記加工される第一の情報及び前記加工される第二の情報を用いて所定の加工条件により加工した加工情報を表示する
ことを特徴とする商品。
【請求項５】
請求項２ないし請求項４いずれか記載の商品において、
前記加工は、暗号処理またはテーブルを用いた変換であり、
前記加工条件は、前記暗号処理に用いる鍵または前記テーブルを用いた変換に用いるテーブルを含む
ことを特徴とする商品。
【請求項６】
加工される情報であり、商品を識別するための情報を記憶するＩＣを有する無線タグを付加した一又は複数の商品に付随し、前記加工される情報を所定の加工条件により加工した加工情報を表示する
ことを特徴とする商品付随物。
【請求項７】
加工される第一の情報であり、商品を識別するための情報を記憶するＩＣを有する無線タグを付加した一又は複数の商品に付随し、加工される第二の情報と、前記加工される第一の情報及び前記加工される第二の情報を用いて所定の加工条件により加工した加工情報とを表示する
ことを特徴とする商品付随物。
【請求項８】
加工される第一の情報であり、商品を識別するための情報を記憶するＩＣを有する無線タグを付加した一又は複数の商品に付随し、加工される第二の情報を記憶する、前記無線タグとは別の第二の無線タグを付加するとともに、前記加工される第一の情報及び前記加工される第二の情報を用いて所定の加工条件により加工した加工情報を表示する
ことを特徴とする商品付随物。
【請求項９】
加工される第一の情報であり、商品を識別するための情報を記憶するＩＣを有する無線タグを付加するとともに、前記加工される第一の情報及び加工される第二の情報を用いて所定の加工条件により加工した加工情報を表示した一又は複数の商品に付随し、前記加工される第二の情報を表示する
ことを特徴とする商品付随物。
【請求項１０】
加工される第一の情報であり、商品を識別するための情報を記憶するＩＣを有する無線タグを付加するとともに、前記加工される第一の情報及び加工される第二の情報を用いて所定の加工条件により加工した加工情報を表示した一又は複数の商品に付随し、前記加工される第二の情報を記憶する、前記無線タグとは別の第二の無線タグを付加する
ことを特徴とする商品付随物。
【請求項１１】
加工される第一の情報であり、商品を識別するための情報を記憶するＩＣを有する無線タグを付加するとともに、加工される第二の情報を表示した一又は複数の商品に付随し、前記加工される第一の情報及び前記加工される第二の情報を用いて所定の加工条件により加工した加工情報を表示する
ことを特徴とする商品付随物。
【請求項１２】
加工される第一の情報であり、商品を識別するための情報を記憶するＩＣを有する無線タグと、加工される第二の情報を記憶する、前記無線タグとは別の第二の無線タグとを付加した一又は複数の商品に付随し、前記加工される第一の情報及び前記加工される第二の情報を用いて所定の加工条件により加工した加工情報を表示する
ことを特徴とする商品付随物。
【請求項１３】
請求項６ないし請求項１２いずれか記載の商品付随物において、
前記加工は、暗号処理またはテーブルを用いた変換であり、
前記加工条件は、前記暗号処理に用いる鍵または前記テーブルを用いた変換に用いるテーブルを含む
ことを特徴とする商品付随物。
【請求項１４】
一又は複数の商品と、該商品に付随する商品付随物とからなる商品セットであって、
前記商品に、加工される情報であり、商品を識別するための情報を記憶するＩＣを有する無線タグを付加し、前記商品付随物には、前記加工される情報を所定の加工条件により加工した加工情報を表示する
ことを特徴とする商品セット。
【請求項１５】
一又は複数の商品と、該商品に付随する商品付随物とからなる商品セットであって、
前記商品に、加工される第一の情報であり、商品を識別するための情報を記憶するＩＣを有する無線タグを付加し、前記商品付随物には、加工される第二の情報と、前記加工される第一の情報及び前記加工される第二の情報を用いて所定の加工条件により加工した加工情報とを表示する
ことを特徴とする商品セット。
【請求項１６】
一又は複数の商品と、該商品に付随する商品付随物とからなる商品セットであって、
前記商品に、加工される第一の情報であり、商品を識別するための情報を記憶するＩＣを有する無線タグを付加し、前記商品付随物には、加工される第二の情報を記憶する、前記無線タグとは別の第二の無線タグを付加するとともに、前記加工される第一の情報及び前記加工される第二の情報を用いて所定の加工条件により加工した加工情報を表示する
ことを特徴とする商品セット。
【請求項１７】
一又は複数の商品と、該商品に付随する商品付随物とからなる商品セットであって、
前記商品付随物に、加工される第二の情報を表示し、前記商品には、加工される第一の情報であり、商品を識別するための情報を記憶するＩＣを有する無線タグを付加するとともに、前記加工される第一の情報及び前記加工される第二の情報を用いて所定の加工条件により加工した加工情報を表示する
ことを特徴とする商品セット。
【請求項１８】
一又は複数の商品と、該商品に付随する商品付随物とからなる商品セットであって、
前記商品付随物に、加工される第二の情報を記憶する第二の無線タグを付加し、前記商品には、加工される第一の情報であり、商品を識別するための情報を記憶するＩＣを有する、前記第二の無線タグとは別の無線タグを付加するとともに、前記加工される第一の情報及び前記加工される第二の情報を用いて所定の加工条件により加工した加工情報を表示する
ことを特徴とする商品セット。
【請求項１９】
一又は複数の商品と、該商品に付随する商品付随物とからなる商品セットであって、
前記商品に、加工される第一の情報であり、商品を識別するための情報を記憶するＩＣを有する無線タグを付加するとともに、加工される第二の情報を表示し、前記商品付随物には、前記加工される第一の情報及び前記加工される第二の情報を用いて所定の加工条件により加工した加工情報を表示する
ことを特徴とする商品セット。
【請求項２０】
一又は複数の商品と、該商品に付随する商品付随物とからなる商品セットであって、
前記商品に、加工される第一の情報であり、商品を識別するための情報を記憶するＩＣを有する無線タグと、加工される第二の情報を記憶する、前記無線タグとは別の第二の無線タグとを付加し、前記商品付随物には、前記加工される第一の情報及び前記加工される第二の情報を用いて所定の加工条件により加工した加工情報を表示する
ことを特徴とする商品セット。
【請求項２１】
請求項１４ないし請求項２０いずれか記載の商品セットにおいて、
前記加工は、暗号処理またはテーブルを用いた変換であり、
前記加工条件は、前記暗号処理に用いる鍵または前記テーブルを用いた変換に用いるテーブルを含む
ことを特徴とする商品セット。
【請求項２２】
加工される情報であり、商品を識別するための情報を記憶するＩＣを有する無線タグの前記加工される情報を読み取る読み取り手段と、
該読み取り手段によって読み取られた一又は複数の前記加工される情報を所定の加工条件により加工する加工手段と、
該加工手段で加工された加工情報を、前記商品或いは該商品に付随する商品付随物に印刷する印刷手段と、
を備える
ことを特徴とする印刷機。
【請求項２３】
加工される第一の情報であり、商品を識別するための情報を記憶するＩＣを有する無線タグの前記加工される第一の情報と、前記商品或いは該商品に付随する商品付随物に表示された加工される第二の情報とを読み取る読み取り手段と、
該読み取り手段によって読み取られた一又は複数の前記加工される第一の情報、及び前記加工される第二の情報を所定の加工条件により加工する加工手段と、
該加工手段で加工された加工情報を、前記商品或いは前記商品付随物に印刷する印刷手段と、
を備える
ことを特徴とする印刷機。
【請求項２４】
加工される第一の情報であり、商品を識別するための情報を記憶するＩＣを有する無線タグの前記加工される第一の情報と、前記商品或いは該商品に付随する商品付随物に付加された前記無線タグとは別の第二の無線タグに記憶された加工される第二の情報とを読み取る読み取り手段と、
該読み取り手段によって読み取られた一又は複数の前記加工される第一の情報、及び前記加工される第二の情報を所定の加工条件により加工する加工手段と、
該加工手段で加工された加工情報を、前記商品或いは前記商品付随物に印刷する印刷手段と、
を備える
ことを特徴とする印刷機。
【請求項２５】
請求項２２ないし請求項２４いずれか記載の印刷機において、
前記加工は、暗号処理またはテーブルを用いた変換であり、
前記加工条件は、前記暗号処理に用いる鍵または前記テーブルを用いた変換に用いるテーブルを含む
ことを特徴とする印刷機。
【請求項２６】
加工される情報であり、物或いはサービスを識別するための情報を記憶するＩＣを有する無線タグの前記加工される情報を読み取る読み取りステップと、
該読み取りステップによって読み取られた一又は複数の前記加工される情報を所定の加工条件により加工する加工ステップと、
該加工ステップで加工された加工情報を、前記物或いはサービスに表示する表示ステップと、
を備える
ことを特徴とする情報加工方法。
【請求項２７】
加工される第一の情報であり、物或いはサービスを識別するための情報を記憶するＩＣを有する無線タグの前記加工される第一の情報と、前記物或いはサービスに表示された加工される第二の情報とを読み取る読み取りステップと、
該読み取りステップによって読み取られた一又は複数の前記加工される第一の情報、及び前記加工される第二の情報を所定の加工条件により加工する加工ステップと、
該加工ステップで加工された加工情報を、前記物或いはサービスに表示する表示ステップと、
を備える
ことを特徴とする情報加工方法。
【請求項２８】
加工される第一の情報であり、物或いはサービスを識別するための情報を記憶するＩＣを有する無線タグの前記加工される第一の情報と、前記物或いはサービスに付加された前記無線タグとは別の第二の無線タグに記憶された加工される第二の情報とを読み取る読み取りステップと、
該読み取りステップによって読み取られた一又は複数の前記加工される第一の情報、及び前記加工される第二の情報を所定の加工条件により加工する加工ステップと、
該加工ステップで加工された加工情報を、前記物或いはサービスに表示する表示ステップと、
を備える
ことを特徴とする情報加工方法。
【請求項２９】
請求項２６ないし請求項２８いずれか記載の情報加工方法において、
前記加工は、暗号処理またはテーブルを用いた変換であり、
前記加工条件は、前記暗号処理に用いる鍵または前記テーブルを用いた変換に用いるテーブルを含む
ことを特徴とする情報加工方法。
【手続補正３】
【補正対象書類名】明細書
【補正対象項目名】０００１
【補正方法】変更
【補正の内容】
【０００１】
【発明の属する技術分野】
本発明は、非接触のＩＣチップを利用して偽造防止を図る、無線タグ、商品、商品付随物、商品セット、印刷機、及び情報加工方法に関する。
【手続補正４】
【補正対象書類名】明細書
【補正対象項目名】０００９
【補正方法】削除
【補正の内容】
【手続補正５】
【補正対象書類名】明細書
【補正対象項目名】００１２
【補正方法】削除
【補正の内容】